(57)【特許請求の範囲】
【請求項１】
データが記録可能なディスク状記録媒体において、
第１の形式の同期信号とトラックのアドレスを示すアドレス情報とを含むウォブル信号に基づいて形成される蛇行状の案内溝を備えるデータ記録トラックを備えるデータ記録領域と、
上記第１の形式とは異なる第２の同期信号と上記ディスク状記録媒体のディスクパラメータとを含むウォブル信号に基づいて形成される蛇行状の案内溝を備えるトラックを備えるコントロール領域とを備え、
上記コントロール領域は上記データ記録領域より内周に形成されたディスク状記録媒体。
【請求項２】
上記コントロール領域を上記データ記録領域の外周側にも更に備えることを特徴とする第１項記載のディスク状記録媒体。
【請求項３】
ディスク状記録媒体上に第１の形式の同期信号とトラックのアドレスを示すアドレス情報とを含むウォブル信号に基づいて形成される蛇行状の案内溝を備えるデータ記録トラックを備えるデータ記録領域と、上記第１の形式とは異なる第２の同期信号とディスク状記録媒体のディスクパラメータとを含むウォブル信号に基づいて形成される蛇行状の案内溝を備えるトラックを備えるコントロール領域とが形成され、上記コントロール領域は上記データ記録領域より内周に形成されたディスク状記録媒体から、上記ウォブル信号を再生する再生手段と、
上記再生手段を上記ディスク状記録媒体の半径方向に移送する移送手段と、
上記ウォブル信号から同期データを検出する同期データ検出手段と、
上記同期データ検出手段により検出された上記同期データに基づいて再生されたウォブル信号がアドレス情報であるかコントロール情報であるかを判別するウォブル信号判別手段と、
上記再生手段が上記ディスク状記録媒体の最内周側に移送されるように上記移送手段を制御する制御手段とを備えることを特徴とするディスク再生装置。
【請求項４】
ディスク状記録媒体上に第１の形式の同期信号とトラックのアドレスを示すアドレス情報とを含むウォブル信号に基づいて形成される蛇行状の案内溝を備えるデータ記録トラックを備えるデータ記録領域と、上記第１の形式とは異なる第２の同期信号とディスク状記録媒体のディスクパラメータとを含むウォブル信号に基づいて形成される蛇行状の案内溝を備えるトラックを備えるコントロール領域とが形成され、上記コントロール領域は上記データ記録領域より内周に形成されたディスク状記録媒体の最内周側から上記ウォブル信号を再生し、
上記ウォブル信号から同期データを検出し、
検出された上記同期データに基づいて再生されたウォブル信号がアドレス情報であるかコントロール情報であるかを判別することを特徴とするディスク再生方法。
【請求項５】
上記検出された同期データに基づいて再生されたウォブル信号がコントロール情報であった場合には上記再生されたコントロール情報に基づいて上記データ記録領域からデータの再生を行うことを特徴とする請求項４記載のディスク再生方法。
【発明の詳細な説明】
【０００１】
【発明の属する技術分野】
本発明は、光磁気ディスク等のデータが記録可能なディスク状記録媒体、及び、そのディスク再生装置並びにディスク再生方法に関する。
【０００２】
【従来の技術】
従来、光ディスクとして、再生専用のＲＯＭディスク、追記型ディスク、光磁気（ＭＯ）ディスク等の記録可能なＲＡＭディスク、ＲＯＭ領域とＲＡＭ領域とを有するいわゆるパーシャルＲＯＭディスクなどが知られている。
【０００３】
このような光ディスクでは、再生の際にサーボ情報を得るために、データが記録されるトラックに対し、案内溝を形成してこの案内溝を一定周波数に蛇行させるいわゆるウォブル（ｗｏｂｂｌｅ）を施す場合がある（以下、光ディスクのトラックに対して案内溝を形成してこの案内溝を一定周波数に蛇行させることをトラックにウォブルを施すという。）。このような光ディスクを取り扱う光ディスクシステムでは、一定の周波数で蛇行しているランド或いはグルーブからの反射光の強度変化の信号であるいわゆるウォブル信号を検出し、この変化が所定の周波数となるようにディスクの制御を行う。また、このようなトラックにウォブルを施した光ディスクでは、トラックの蛇行周波数すなわちウォブル信号の周波数を搬送波として、所定データを周波数変調して各トラックにアドレス情報（ＡＤＩＰ）を設定している。
【０００４】
また、記録データの同期を取るため、１セクタ内に所定個のクロックマークを挿入している。すなわち、ウォブル信号の周波数に対し高周波の波を所定間隔毎に入れ、このクロックマークを検出し、これらの間隔に対しＰＬＬを掛けることにより、同期を取っている。
【０００５】
このように光ディスクのトラックにウォブルを施し、このウォブルにクロックマークを挿入させることにより、例えば、トラックに沿って連続的に或いは離散的に設けられたサンプルサーボ方式等で用いられるプリピット等を形成する必要がなくなる。
【０００６】
また、従来、光ディスクでは、ＩＳＯ  ＭＯ５．２５インチ規格にあるように内周部或いは外周部にＰＥＰ（Phase Encoded Part）というディスクのパラメータが示されている領域を設けることが知られている。このＰＥＰには、バーコード状のピットの有無による反射率の差を利用して、パラメータ情報が記述してある。光ディスクを取り扱う光ディスクシステムでは、ＰＥＰに記述してあるパラメータ情報を読みとり、このパラメータ情報に基づきコントロールトラックからコントロール情報を読みとって、このコントロール情報に応じた制御動作を行っている。
【０００７】
【発明が解決しようとする課題】
ここで、上述したトラックにウォブルを施した光ディスクに対して、この光ディスクの内周部或いは外周部にＰＥＰを設けパラメータ情報を記述することが考えられる。
【０００８】
ところが、このようなトラックにウォブルを施した光ディスクにＰＥＰを設けると、この光ディスクを取り扱う光ディスクシステムでは、ウォブル信号とは別にＰＥＰを検出するための検出回路を設けなければならない。また、光ディスクを成形する際においても、コントロールトラックにプリピットを設けなければならず、光ディスクのトラックにウォブルを施すことにより、従来の光ディスクで用いられるプリピット等を形成する必要がなくなるという利点が無くなる。
【０００９】
本発明は、このような実情を鑑みてなされたものであり、ウォブル信号を与える蛇行状のトラックが形成されている
ディスクに、ＰＥＰを設けることなくディスクのパラメータ情報を記述したディスク状記録媒体、及び、そのディスク再生装置並びにディスク再生方法提供することを目的とする。
【００１０】
【課題を解決するための手段】
上述の課題を解決するために、本発明は、データが記録可能なディスク状記録媒体において、第１の形式の同期信号とトラックのアドレスを示すアドレス情報とを含むウォブル信号に基づいて形成される蛇行状の案内溝を備えるデータ記録トラックを備えるデータ記録領域と、上記第１の形式とは異なる第２の同期信号と上記ディスク状記録媒体のディスクパラメータとを含むウォブル信号に基づいて形成される蛇行状の案内溝を備えるトラックを備えるコントロール領域とを備え、上記コントロール領域は上記データ記録領域より内周に形成されたことを特徴とする。
【００１１】
上記ディスク状記録媒体は、上記コントロール領域を上記データ記録領域の外周側にも更に備える。
【００１２】
本発明に係るディスク再生装置は、ディスク状記録媒体上に第１の形式の同期信号とトラックのアドレスを示すアドレス情報とを含むウォブル信号に基づいて形成される蛇行状の案内溝を備えるデータ記録トラックを備えるデータ記録領域と、上記第１の形式とは異なる第２の同期信号とディスク状記録媒体のディスクパラメータとを含むウォブル信号に基づいて形成される蛇行状の案内溝を備えるトラックを備えるコントロール領域とが形成され、上記コントロール領域は上記データ記録領域より内周に形成されたディスク状記録媒体から、上記ウォブル信号を再生する再生手段と、上記再生手段を上記ディスク状記録媒体の半径方向に移送する移送手段と、上記ウォブル信号から同期データを検出する同期データ検出手段と、同期データ検出手段により検出された上記同期データに基づいて再生されたウォブル信号がアドレス情報であるかコントロール情報であるかを判別するウォブル信号判別手段と、上記再生手段が上記ディスク状記録媒体の最内周側に移送されるように上記移送手段を制御する制御手段とを備えることを特徴とする。
【００１３】
本発明に係るディスク再生方法は、ディスク状記録媒体上に第１の形式の同期信号とトラックのアドレスを示すアドレス情報とを含むウォブル信号に基づいて形成される蛇行状の案内溝を備えるデータ記録トラックを備えるデータ記録領域と、上記第１の形式とは異なる第２の同期信号とディスク状記録媒体のディスクパラメータとを含むウォブル信号に基づいて形成される蛇行状の案内溝を備えるトラックを備えるコントロール領域とが形成され、上記コントロール領域は上記データ記録領域より内周に形成されたディスク状記録媒体の最内周側から上記ウォブル信号を再生し、上記ウォブル信号から同期データを検出し、検出された上記同期データに基づいて再生されたウォブル信号がアドレス情報であるかコントロール情報であるかを判別することを特徴とする。
【００１４】
本発明に係るディスク再生方法では、上記検出された同期データに基づいて再生されたウォブル信号がコントロール情報であった場合には上記再生されたコントロール情報に基づいて上記データ記録領域からデータの再生を行う。
【００１５】
この光ディスク再生方法では、光ディスクのウォブル信号からアドレス情報とコントロール情報とを独立に検出する。
【００１６】
【発明の実施の形態】
以下、本発明の実施の形態である光ディスクについて、図面を参照しながら説明する。なお、本実施の形態である光ディスクは、記録及び再生が可能な光磁気ディスクを例にして説明する。また、本実施の形態である光ディスクは、ランド及びグルーブの両者にデータを記録した場合に両者にアドレス情報が得られるようにするため、トラックの片側の壁に対してのみウォブルを施した片側ウォブルの光磁気ディスクを例にして説明する。
【００１７】
図１は、本発明に係る実施の形態の光ディスクのトラックから与えられるウォブル信号を説明する図である。図１（ａ）はチャンネルデータを示しており、図１（ｂ）はチャンネルデータに対応するウォブル信号を示しており、また、図１（ｃ）はトラックの模式的な形状を示している。
【００１８】
光ディスクのウォブル信号は、図１（ｂ）に示すように、ｎ〔Ｈｚ〕の搬送波に±ｄ〔Ｈｚ〕の周波数変調が施されている。このウォブル信号は、図１（ａ）に示すように、チャンネルデータが１のときは周波数がｎ〔Ｈｚ〕＋ｄ〔Ｈｚ〕となり、チャンネルデータが０のときは周波数がｎ〔Ｈｚ〕−ｄ〔Ｈｚ〕の信号となる。また、ウォブル信号は、例えば、１チャンネル当たり約３．５波の信号である。ウォブルがされたトラックは、図１（ｃ）に示すように、ウォブル信号に対応して蛇行した形状が形成されている。
【００１９】
図２は、本実施の形態の光ディスクのディスクイメージを示したものである。この光ディスクには内周側より外周側に向かってトラック０〜トラックｎがスパイラル状に形成され、各トラックには円周方向に０〜ｍのセクタが含まれている。
【００２０】
また、この光ディスクは、ディスクの最外周側及び最内周側にコントロールトラック領域が設けられ、これらのコントロールトラック領域に挟まれた部分にユーザ領域，テスト領域，ＰＤＬ（Primary Defect List）及びＳＤＬ（Secondly Defect List）領域が設けられている。
【００２１】
コントロールトラック領域及びユーザ領域等の各トラックは、上述したウォブルが施されている。コントロールトラック領域のウォブル信号には、ディスクのパラメータ情報が記述されている。また、ユーザ領域，テスト領域，ＰＤＬ及びＳＤＬ領域には、アドレス情報（ＡＤＩＰ）が記述されている。
【００２２】
図３は、本発明の実施の形態の光ディスクのウォブル信号に含まれるデータのフォーマットについて説明する図である。
【００２３】
この光ディスクには、図３（ａ）に示すように、半径方向にグルーブ部Ｇとランド部Ｌとが交互に形成され、グルーブ部Ｇまたはランド部Ｌの双方にデータが記録される。グルーブ部Ｇの片側のトラックの壁は、パラメータ情報及びアドレス情報をバイフェーズ（ＢｙＰｈａｓｅ）変調したチャンネルデータに応じてウォブルが施されている。この場合、このチャンネルデータが周波数変調（ＦＭ）され、変調後の信号に対応するようにグルーブ部Ｇにウォブルが施されている。つまり、その変調後の信号がウォブル信号として記録されている。なお、グルーブ部Ｇの片側のトラックの壁がウォブルされることから、結果的にランド部Ｌの片側の壁もチャンネルデータに応じてウォブリングした状態となっている。
【００２４】
この光ディスクのウォブル信号は、１セクタ単位で１ウォブルアドレスフレーム（Wobble Address Frame）を構成している。この１ウォブルアドレスフレームには、パラメータ情報及びアドレス情報（ＡＤＩＰ）をバイフェーズ変調したチャンネルデータで４８ビットのデータが記述されている。
【００２５】
ユーザ領域（テスト領域，ＰＤＬ及びＳＤＬ領域）の１ウォーブルアドレスフレームには、図３（ｂ）に示すように、先頭の４ビットにこのユーザ領域の同期信号となるサーボ同期信号Ｓｙｎｃと、次の２４ビットにこのセクタのアドレスとなるフレームアドレス（Frame Address）と、次の６ビットにリザーブ領域となるリザーブデータＲＳＶＤと、最後の１４ビットにエラー訂正コード（ＣＲＣ）とが含まれている。
【００２６】
また、コントロールトラック領域には、図３（ｃ）に示すように、先頭の４ビットにこのコントロール領域の同期信号となるコントロールトラックマークＣＴＭと、次の２４ビットにディスクのパラメータ情報となるコントロールコード（Control Code）と、次の６ビットにコントロールコードのページ番号となるページコード（Page）及びリザーブ領域となるリザーブデータＲＳＶＤと、最後の１４ビットにエラー訂正コード（ＣＲＣ）とが含まれている。
【００２７】
また、１セクタは、図３（ｄ）に示すように、例えば２４セグメントで構成されている。各セグメントの境界位置には、図３（ａ）に示すように、クロックマークＣＭがウォブルに多重化されてプリフォーマットされている。そして、図３（ｅ）に示すように、各セグメント内に１００バイトのデータ領域が設けられると共に、各セグメントの境界位置に対応して１０バイトの固定パターン領域が設けられている。データ書き込み時には、データ領域にはＮＲＺＩデータが記録されるが、固定パターン領域にはＮＲＺＩデータに同期した２Ｔの固定パターン信号が記録される（Ｔはデータのビット間隔）。
【００２８】
ここで、上述したユーザ領域では、サーボ同期信号Ｓｙｎｃを除く各データは、上述したようにバイフェーズ（ＢｉＰｈａｓｅ）方式のデータとなっている。それに対し、ユーザ領域の同期信号であるサーボ同期信号Ｓｙｎｃは、他のデータのパターンと独立のパターンである３Ｔパターンとなっている。具体的に、このユーザー領域のデータパターンは、例えば図４（ａ）に示すように、チャンネルデータが“１１１０１０００”である３Ｔパターンの同期信号と、チャンネルデータが“１１００１１００１０１１０１・・・”である“００００１０１・・・”のフレームアドレス等とから構成されている。また、このコントロールトラックの領域のデータパターンは、例えば図４（ｂ）に示すように、チャンネルデータが“０００１０１１１”である３Ｔパターンの同期信号と、チャンネルデータが“００１１００１１０１００１０・・・”である“００００１０１・・・”のフレームアドレス等とから構成されている。
【００２９】
すなわち、この３Ｔパターンがバイフェーズ方式に対して独立のパターンとなっているため、この光ディスクを再生等をした際にこのウォブルアドレスフレームの同期をとることができる。
【００３０】
また、コントロールトラック領域では、コントロールトラックマークＣＴＭを除く各データは、バイフェーズ（ＢｉＰｈａｓｅ）方式のデータとなっている。それに対し、コントロールトラック領域の同期信号であるコントロールトラックマークＣＴＭは、他のデータのパターンと独立のパターンである４Ｔパターンとなっている。具体的に、このコントロールトラックの領域のデータパターンは、例えば図５（ａ）に示すように、チャンネルデータが“１１１１００００”である４Ｔパターンの同期信号と、チャンネルデータが“１１００１１００１０１１０１・・・”である“００００１０１・・・”のフレームアドレス等とから構成されている。また、このコントロールトラックー領域のデータパターンは、例えば図５（ｂ）に示すように、チャンネルデータが“００００１１１１”である４Ｔパターンの同期信号と、チャンネルデータが“００１１００１１０１００１０・・・”である“００００１０１・・・”のフレームアドレス等とから構成されている。
【００３１】
すなわち、この４Ｔパターンがバイフェーズ方式に対して独立のパターンとなっているため、この光ディスクを再生等をした際にこのウォブルアドレスフレームの同期をとることができる。
【００３２】
また、このコントロールトラックマークＣＴＭのデータパターンは、４Ｔのデータパターンとなっているため、上述したサーボ同期信号Ｓｙｎｃの３Ｔのパターンとも独立となっている。そのため、このコントロールトラックマークＣＴＭにより、ウォブルアドレスフレームの同期をとるとともに、サーボ同期信号Ｓｙｎｃとのデータの区別を図ることができる。
【００３３】
なお、上述したコントロールトラック領域のコントロールコード２４ビットには、ディスクのパラメータ情報として、例えば、メディアの世代情報、メディアのベンダー情報、ディスクの記録再生特性情報（MAX.read power  MAX.write power etc）、フォーマット情報（ゾーン関連の情報）等を含ませることができる。以上のように、この実施の形態の光ディスクは、アドレス情報とディスクのパラメータ情報とをウォブル信号に含ませることができ、プリピット等の別のフォーマットでコントロール情報を形成する必要がなくなり、ディスクの作成が簡単になる。
【００３４】
なお、この本発明の光ディスクは、再生専用のみならず、記録再生が可能な光ディスク、例えば、光磁気ディスクであってもよいのは勿論である。
【００３５】
つぎに、上述した実施の形態の光ディスクを取り扱う本発明を適用した実施の形態である光ディスク装置について説明する。この実施の形態の光ディスク装置は、光ディスクにデータを記録し又は再生し、或いは記録再生をするものであり、特に、記録の際は光磁気記録をするものである。なお、この光ディスク装置を説明するにあたり、この光ディスク装置で取り扱う媒体である上述した実施の形態の光ディスクを単にディスクＤと称する。
【００３６】
図６は本発明の実施の形態である光ディスク装置のブロック図である。
【００３７】
光ディスク装置１は、ディスクＤを積載するディスクターンテーブル２と、このディスクターンテーブル２を回転駆動させるスピンドルモータ３と、ディスクＤにデータの書き込みをし、また、ディスクＤからデータを読み出すピックアップ４と、ＲＦアンプ１１とを備えている。
【００３８】
また、光ディスク装置１は、再生信号であるＭＯ信号を２値化等するＲＦプロセッサ１２と、２値化等したＭＯ信号のエラー訂正処理等をするデコーダ１３と、二軸機構６に駆動信号を供給するフォーカスドライバ１４及びトラッキングドライバ１５と、スピンドルモータ２を駆動するスピンドルモータドライバ１６とを備えている。
【００３９】
また、光ディスク装置１は、ディスクＤに記録する記録信号にエラー訂正符号等を付加しまた変調処理等をするエンコーダ２１と、ディスクＤにデータを記録する際に記録磁界をディスクＤに与える磁気ヘッド２４と、エンコーダ２１によりエラー訂正符号等が付加された記録信号に基づき磁気ヘッド２４を駆動する磁気ヘッドドライバ２３と、ディスクＤに対してレーザを出射するレーザダイオードを駆動するレーザドライバ２２と備えている。
【００４０】
また、光ディスク装置１は、フォーカスドライバ１４，トラッキングドライバ１５，スピンドルドライバ１６及びレーザドライバ２２等に制御信号を供給して各サーボループの制御を行うサーボプロセッサ２０と、この光ディスク装置１の全体の制御を行い、及び、例えばホストコンピュータとのデータのやりとりを行うシステムコントローラ１０とを備えている。
光ディスク装置１により取り扱われるディスクＤは、ディスクターンテーブル２に積載され、再生及び記録動作時においてスピンドルモータ３によって一定線速度（ＣＬＶ）若しくは一定角速度（ＣＡＶ）で回転駆動される。なお、このスピンドルモータ３は、スピンドルモータドライバ１６により駆動される。
【００４１】
ピックアップ４は、対物レンズ５と、二軸機構６と、レーザーダイオード７と、フォトディテクタ８等を備えている。対物レンズ２は、二軸機構６によってトラッキング方向及びフォーカス方向に移動可能に保持されている。この二軸機構６は、フォーカスドライバ１４及びトラッキングドライバ１５により駆動される。レーザーダイオード７は、ディスクＤにレーザーを出射する。このレーザーダイオード７は、後述するレーザードライバ２２により制御される。ディスクＤからの反射光情報はフォトディテクタ８によって検出され、受光光量に応じた電流信号とされてＲＦアンプ１１に供給される。
【００４２】
ＲＦアンプ１１は、電流電圧変換回路、増幅回路、マトリクス演算回路等を備え、フォトディテクタ８からの電流信号に基づいて必要な信号を生成する。例えば再生データであるＭＯ信号、サーボ制御のためのフォーカスエラー信号ＦＥ、トラッキングエラー信号であるプッシュプル信号ＰＰを生成する。
【００４３】
ＲＦアンプ１１で生成されるＭＯ信号はＲＦプロセッサ１２へ、フォーカスエラー信号ＦＥ，プッシュプル信号ＰＰはサーボプロセッサ２０へ、さらにプッシュプル信号ＰＰはＡＤＩＰデコーダへ、また、フォーカスエラー信号ＦＥ，プッシュプル信号ＰＰはシステムコントローラ１０へ供給される。
【００４４】
ＲＦプロセッサ１２は、システムコントローラ１０の制御信号に基づき、供給されたＭＯ信号を、２値化し、いわゆるＥＦＭ信号（８−１４変調信号；ＣＤの場合）若しくはＥＦＭ＋信号（８−１６変調信号；ＤＶＤの場合）を生成してデコーダ１３に供給する。
【００４５】
デコーダ１３は、ＲＦプロセッサ１２により２値化等されたＭＯ信号を、ＥＦＭ復調，ＣＩＲＣデコード等を行い、また、必要に応じてＭＰＥＧデコードなどを行ってディスクＤから読み取られた情報の再生を行い、システムコントローラ１０に供給する。
【００４６】
一方、サーボプロセッサ２０は、ＲＦアンプ１１からのフォーカスエラー信号ＦＥ及びプッシュプル信号ＰＰ等が供給され、フォーカス、トラッキング、スピンドルの各種サーボドライブ信号を生成しサーボ動作を実行させる。
【００４７】
すなわち、サーボプロセッサ２０は、フォーカスエラー信号ＦＥに基づいてフォーカス制御信号を生成し、このフォーカス制御信号をフォーカスドライバ１４に供給してレーザ光がディスクＤの各信号面に合焦するように制御する。
【００４８】
また、サーボプロセッサ２０は、プッシュプル信号ＰＰに基づいてトラッキング制御信号を生成し、このトラッキング制御信号をトラッキングドライバ１５に供給してレーザ光がディスクＤの各信号面のトラックにジャストトラックとなるように制御する。
【００４９】
また、サーボプロセッサ２０は、例えば、ディスクＤの回転速度を検出したスピンドルエラー信号に応じてスピンドル制御信号を生成し、このスピンドルドライブ信号をスピンドルモータドライバ１６に供給しディスクＤの回転速度を制御する。
【００５０】
また、サーボプロセッサ２０は、レーザダイオード７の光量検出信号に基づき、ディスクＤに照射するレーザーダイオード７の光量を一定にするための処理を行うためこのレーザドライブ信号を生成し、このレーザードライブ信号をレーザドライバ２２に供給する。
【００５１】
また、このサーボプロセッサ２０は、システムコントローラ１０の制御に基づき動作し、例えば、フォーカスループの引き込み動作の開始等の制御がされる。エンコーダ２１は、システムコントローラ１０から供給される記録用データを、ＣＩＲＣエンコード等を行いまた必要に応じてＭＰＥＧエンコードなどを行ってディスクＤに対して記録する記録用データを符号化する。また、このエンコードした記録用データを変調して、いわゆるＥＦＭ信号（８−１４変調信号；ＣＤの場合）若しくはＥＦＭ＋信号（８−１６変調信号；ＤＶＤの場合）を生成する。エンコーダ２１は、この符号化し、所定の変調を施した記録用データを磁気ヘッドドライバ１３に供給する。
【００５２】
磁気ヘッドドライバ２３は、エンコーダ２１から供給される記録用データに基づき磁気ヘッド２４を駆動し、記録時にディスクＤに対して変調磁界を印加する。すなわち、ディスクＤは、レーザダイオード７から照射されるレーザとともに磁界変調がされることで、データが記録される。
【００５３】
なお、光ディスク装置１は、磁界変調記録の場合は、レーザは一定の間隔でパルス照射をするのみなので、エンコードデータと無関係となる。但し、光変調記録の場合は、光パルスをデータで変調する。従って、この光変調記録の場合は、磁界の制御はしない。
【００５４】
つぎに、ディスクＤのトラックから与えられるウォブル信号のデコードをし、ウォブル信号から与えられるアドレスデータ等を検出するＡＤＩＰデコーダについて説明する。
【００５５】
この光ディスク装置１は、ＲＦアンプ１１からプッシュプル信号ＰＰが供給され、ディスクＤのトラックから与えられるウォブル信号を復号し、ＡＤＩＰデータを生成してシステムコントローラ１０に供給するＡＤＩＰデコーダ３０を備えている。
【００５６】
このＡＤＩＰデコーダ３０は、図７に示すように、プッシュプル信号ＰＰが供給され、このプッシュプル信号ＰＰからウォブル信号を復調しアドレスデータ（ＡＤＩＰデータ）及びパラメータ情報等のバイフェーズ変調前のチャンネルデータとそのクロックを生成するウォブル信号復調回路３１と、このウォブル信号復調回路３１により生成したチャンネルデータとそのクロック信号に基づきウォブルアドレスフレームの先頭の４ビットのデータである同期信号を検出する同期検出回路３２とを有している。
【００５７】
ウォブル信号復調回路３１は、図８に示すように、プッシュプル信号が供給されるバッファ４１と、バンドパスフィルタ４２と、ＰＬＬ回路を構成する位相比較器４３，ローパスフィルタ４４，電圧制御発振器（ＶＣＯ）４５と、ローパスフィルタ４６と、コンパレータ４７と、フリップフロップ４８とを有する。
【００５８】
また、ウォブル信号復調回路３１は、コンパレータ４７からのチャンネルデータを所定時間遅延する遅延回路４９と、ＥＸ−ＯＲ回路５０と、モノマルチバイブレータ５１と、ＰＬＬ回路を構成する位相比較器５２，ＶＣＯ５３，ローパスフィルタ５４とを有する。
【００５９】
バッファ４１には、ＲＦアンプ１１からのプッシュプル信号ＰＰが供給され、このバッファ４１からプッシュプル信号ＰＰがバンドパスフィルタ４２に供給される。
【００６０】
バンドパスフィルタ４２は、プッシュプル信号ＰＰの所定の周波数のみをフィルタリングして、所定周波数成分のみを通過させた周波数変調されているウォブル信号を出力する。このバンドパスフィルタ４２から出力されたウォブル信号は、位相比較器４３に供給される。
【００６１】
位相比較器４３は、ローパスフィルタ４４とＶＣＯ４５とでループ回路を形成して周波数変調されているウォブル信号の搬送波クロックを生成し、このウォブル信号の搬送波クロックとウォブル信号の位相差信号を出力する。
【００６２】
この位相差信号は、ローパスフィルタ４６で高域成分をカットされ、コンパレータ４７で２値化される。この２値化された信号がアドレスデータ（ＡＤＩＰデータ）及びパラメータ情報等をバイフェーズ変調したチャンネルデータである。また、ＥＸ−ＯＲ回路５０には、コンパレータ４７で２値化されたチャンネルデータと、このチャンネルデータを遅延回路４９で所定時間遅延させた信号とが供給される。ＥＸ−ＯＲ回路５０は、これらの信号の排他的論理和を演算することにより、チャンネルデータのエッジ成分を検出する。
【００６３】
チャンネルデータのエッジ成分は、モノマルチバイブレータ５１を介して、位相比較器５２と、ＶＣＯ５３、ローパスフィルタ５４とで構成されるＰＬＬ回路に供給され、このＰＬＬ回路によりチャンネルデータのクロック信号が再生される。
【００６４】
そして、チャンネルデータとこのチャンネルデータのクロック信号がフリップフロップ４８にそれぞれ供給され、クロック信号に同期したチャンネルデータがウォブル信号復調回路３０から出力される。
【００６５】
なお、このウォブル信号復調回路３１は、入力段に設けられているバンドパスフィルタ４２の通過帯域を変更したウォブル信号の復調回路も有しており、この回路に基づきウォブル信号に挿入されたクロックマークの再生を行う。
【００６６】
同期検出回路３２は、図９に示すように、チャンネルデータが供給される８ビットシフトレジスタ５６と、ＳＹＮＣ比較回路５７と、ＣＴＭ比較回路５８とを有する。
【００６７】
８ビットシフトレジスタ５６には、ウォブル信号復調回路３１からチャンネルデータが供給される。８ビットシフトレジスタ５６は、チャンネルデータを８ビット分格納し、同期クロックに同期させて順次データを送り出していく。
【００６８】
ＳＹＮＣ比較回路５７は、８ビットシフトレジスタ５６に格納された８ビット分のチャンネルデータをパラレルデータとして検出し、この検出したデータをユーザ領域の同期データである８ビットのＳＹＮＣデータ“１１１１００００”及び“００００１１１１”と比較する。
【００６９】
ＳＹＮＣ比較回路５７は、チャンネルデータがこのＳＹＮＣデータと一致したときにＳＹＮＣ検出信号をシステムコントローラ１０に供給する。
【００７０】
ＣＴＭ比較回路５８は、８ビットシフトレジスタ５６に格納された８ビット分のチャンネルデータをパラレルデータとして検出し、この検出したデータをコントロールトラック領域の同期データであるバイフェーズ変調前の８ビットのコントロールデータ“１１１０１０００”及び“０００１０１１１”と比較する。
【００７１】
ＣＴＭ比較回路５８は、チャンネルデータがこのＣＴＭデータと一致したときにＣＴＭ検出信号をシステムコントローラ１０に供給する。
【００７２】
すなわち、この同期検出回路３２では、バイフェーズ変調されたウォブル信号に対し、独立したコードであるＳＹＮＣデータとＣＴＭデータとを検出することにより、ＡＤＩＰデータ及びパラメータ情報の同期をとることができる。特に、ディスクＤには、ユーザ領域とコントロールトラック領域で異なる独立のコードが設定されているので、ユーザ領域のＡＤＩＰデータとコントロールトラック領域のデータとを区別して検出をすることができる。
【００７３】
つぎに、この光ディスク装置１が再生或いは記録を開始する際に、ディスクＤのコントロールトラック領域のウォブル信号を検出し、読み出す処理の内容について、図１０のフローチャートを用いて説明する。なお、以下に説明する処理は、光ディスク装置１のシステムコントローラ１０が各回路を制御して行うものである。
【００７４】
光ディスク装置１のシステムコントローラ１０は、ディスクＤがディスクターンテーブル２に装填されると、ステップＳ１からの処理を開始する。
【００７５】
光ディスク装置１は、ディスクＤが装填されると、ピックアップ４をディスクＤの最外周側或いは最内周側にシークさせたのち（ステップＳ１）、フォーカスループを引き込みフォーカスサーボをかける（ステップＳ２）。光ディスク装置１は、フォーカスループが引き込めると、続いてトラッキングサーボをかけ、このトラッキングサーボをかけるとともに、ＡＤＩＰデコーダ３０のウォブル復調回路３１によりＡＤＩＰデータ及びパラメータ情報とクロックマークの再生を行う（ステップＳ３）。
【００７６】
続いて光ディスク装置１は、再生したウォブル信号のチャンネルデータから同期信号を検出して、ＣＴＭの同期データが検出されたかどうかを判断する（ステップＳ４）。すなわち、同期検出回路３２のＣＴＭ比較回路５８からＣＴＭ検出信号が検出されたかどうかを判断する。
【００７７】
ＣＴＭの同期データが検出できなければ、外周側或いは内周側に再度シークさせた後（ステップＳ５）、ＣＴＭの同期データが検出されたかどうかの判断を繰り返す（ステップＳ４）。
【００７８】
また、ＣＴＭの同期データが検出できれば、コントロールコードの読出しを行い（ステップＳ６）、コントロールコードに含まれるメディアの世代情報、メディアのベンダー情報、ディスクの記録再生特性情報、フォーマット情報等に基づき各種設定を行い（ステップＳ７）、記録或いは再生の処理の開始を行う。
【００７９】
以上のように、この光ディスク装置１では、コントロールトラック領域のパラメータ情報が含まれるデータを通常のウォブルアドレスのデコーダにより再生ができ、付加回路を設けることなく再生ができる。
【００８０】
【発明の効果】
本発明に係る光ディスクでは、ウォブル信号からアドレス情報とコントロール情報とが独立に検出されることにより、プリピット等の別のフォーマットでコントロール情報を形成する必要がなくなり、ディスクの作成が簡単になる。
【００８１】
本発明に係る光ディスク装置では、光ディスクのウォブル信号からアドレス情報とコントロール情報とを独立に検出することにより、ウォブル信号の再生手段と同一の再生手段でコントロール情報を再生でき、このコントロール情報を再生するために付加回路を設けなくても良い。
【００８２】
本発明に係る光ディスク再生方法では、光ディスクのウォブル信号からアドレス情報とコントロール情報とを独立に検出することにより、ウォブル信号の再生ステップと同一の再生ステップでコントロール情報を再生でき、このコントロール情報を再生するために付加ステップを設けなくても良い。
【図面の簡単な説明】
【図１】本発明に係る実施の形態の光ディスクのトラックから与えられるウォブル信号を説明する図である。
【図２】本発明に係る実施の形態の光ディスクのディスクイメージを示した図である。
【図３】本発明の実施の形態の光ディスクのウォブル信号に含まれるデータのフォーマットについて説明する図である。
【図４】本発明の実施の形態の光ディスクのユーザ領域の同期信号であるサーボ同期信号ＳＹＮＣを説明するタイミングチャートである。
【図５】本発明の実施の形態の光ディスクのコントロールトラック領域の同期信号であるコントロールトラックマークＣＴＭを説明するタイミングチャートである。
【図６】本発明の実施の形態である光ディスク装置のブロック図である。
【図７】本発明の実施の形態である光ディスク装置のＡＤＩＰデコーダのブロック図である。
【図８】上記ＡＤＩＰデコーダのウォブル信号復調回路のブロック図である。
【図９】上記ＡＤＩＰデコーダの同期検出回路のブロック図である。
【図１０】本発明の実施の形態の光ディスク装置がウォブル信号の同期データを検出する処理の内容を説明するフローチャートである。
【符号の説明】
１  光ディスク装置、２  ディスクターンテーブル、３  スピンドルモータ、４  ピックアップ、１０  システムコントローラ、１１  ＲＦアンプ、１２  ＲＦプロセッサ、１３  デコーダ、１４  フォーカスドライバ、１５  トラッキングドライバ、１６  スピンドルドライバ、２０  サーボプロセッサ、２１  エンコーダ、２２  レーザドライバ、２３  磁気ヘッドドライバ、２５  磁気ヘッド、３０  ＡＤＩＰデコーダ、３１  ウォブル信号復調回路、３２  同期検出回路
【図１】
0003845951.tif 000002
【図２】
0003845951.tif 000003
【図３】
0003845951.tif 000004
【図４】
0003845951.tif 000005
【図５】
0003845951.tif 000006
【図６】
0003845951.tif 000007
【図７】
0003845951.tif 000008
【図８】
0003845951.tif 000009
【図９】
0003845951.tif 000010
【図１０】
0003845951.tif 000011